(57)【要約】  本発明は、高純度フィッシャー−トロプシュ軽油画分を調製するための方法であって、ａ）フィッシャー−トロプシュ由来の軽油原料を異なる沸点範囲を有する２つ以上のフィッシャー−トロプシュ軽油画分に分画するステップであり、少なくとも１つのフィッシャー−トロプシュ軽油画分が、１種以上の汚染物質が原料に対して富化されている汚染物質富化フィッシャー−トロプシュ軽油画分であるステップ、ｂ）汚染物質富化フィッシャー−トロプシュ軽油画分を、少なくとも１種の吸収材料を含む吸収ゾーンに供給し、汚染物質富化フィッシャー−トロプシュ軽油画分を吸収材料に接触させて汚染物質の少なくとも一部を吸収させるステップ、およびｃ）吸収ゾーンから精製フィッシャー−トロプシュ軽油画分を高純度フィッシャー−トロプシュ軽油画分として回収するステップであり、その精製フィッシャー−トロプシュ軽油画分がフィッシャー−トロプシュ由来の軽油原料に対して汚染物質が激減しているステップを含み、汚染物質富化フィッシャー−トロプシュ画分中の汚染物質の少なくとも一部分がステップ（ａ）の分画中に形成される、方法を提供する。本発明は、精製フィッシャー−トロプシュ軽油画分の使用をさらに提供する。【特許請求の範囲】
【請求項１】
精製フィッシャー−トロプシュ軽油画分を調製するための方法であって、
ａ）フィッシャー−トロプシュ由来の軽油原料を異なる沸点範囲を有する２つ以上のフィッシャー−トロプシュ軽油画分に分画するステップであり、フィッシャー−トロプシュ由来の軽油が、フィッシャー−トロプシュ由来のパラフィン全量に対して炭素原子９から２５個を有するフィッシャー−トロプシュ由来をパラフィンの少なくとも７０重量％を含む、炭素原子７から３０個の範囲のアルキル鎖長を有する、イソパラフィンおよび直鎖パラフィンを含めたパラフィンを含む流体であり、少なくとも１つのフィッシャー−トロプシュ軽油画分が、１種以上の汚染物質が原料に対して富化されている汚染物質富化フィッシャー−トロプシュ軽油画分であるステップ、
ｂ）汚染物質富化フィッシャー−トロプシュ軽油画分を、少なくとも１種の吸収材料を含む吸収ゾーンに供給し、汚染物質富化フィッシャー−トロプシュ軽油画分を吸収材料に接触させて汚染物質の少なくとも一部を吸収させるステップ、および
ｃ）吸収ゾーンから精製フィッシャー−トロプシュ軽油画分を回収するステップであり、その精製フィッシャー−トロプシュ軽油画分が汚染物質富化フィッシャー−トロプシュ軽油画分に対して汚染物質が激減しているステップ
を含み、汚染物質富化フィッシャー−トロプシュ画分中の汚染物質の少なくとも一部がステップ（ａ）の分画中に形成される、方法。
【請求項２】
ステップ（ａ）の分画中に形成された汚染物質の少なくとも一部が、フィッシャー−トロプシュ由来の軽油原料中の１種以上の炭化水素化合物の熱酸化生成物である、請求項１に記載の方法。
【請求項３】
ステップ（ａ）の分画中に形成された汚染物質の少なくとも一部が、フィッシャー−トロプシュ由来の軽油原料中の１種以上の炭化水素化合物の熱酸化生成物である含酸素化合物である、請求項１または２に記載の方法。
【請求項４】
フィッシャー−トロプシュ由来の軽油原料が１種以上の不飽和脂肪族炭化水素化合物を含み、含酸素化合物の少なくとも一部が１種以上の不飽和脂肪族炭化水素化合物の熱酸化生成物である、請求項３に記載の方法。
【請求項５】
ステップ（ａ）の分画中に形成された汚染物質の少なくとも一部が、フィッシャー−トロプシュ由来の軽油原料中の１種以上の炭化水素化合物の熱脱水素化生成物である不飽和炭化水素化合物である、請求項１から４のいずれか一項に記載の方法。
【請求項６】
１種以上の汚染物質が、含酸素化合物および芳香族化合物からなる群から選択される、請求項１から５のいずれか一項に記載の方法。
【請求項７】
吸収材料が、モレキュラーシーブ材料、好ましくは、ゼオライトＸ、ゼオライト１３Ｘ、ゼオライトＹ、脱アルミニウムゼオライトＹ、超安定化Ｙ（ultrastable  Y）、ＺＳＭ−１２、モルデナイト、ゼオライトベータ、ゼオライトＬ、ゼオライトオメガ、好ましくは、ゼオライト１３Ｘである、請求項１から６のいずれか一項に記載の方法。
【請求項８】
吸収ゾーンが、２種以上の吸収材料、好ましくは、少なくともゼオライト１３Ｘおよびケイ酸マグネシウムを含む、請求項１から７のいずれか一項に記載の方法。
【請求項９】
汚染物質富化フィッシャー−トロプシュ軽油画分が、０から１５０℃の範囲の温度で吸収材料と接触させられる、請求項１から８のいずれか一項に記載の方法。
【請求項１０】
汚染物質富化フィッシャー−トロプシュ軽油画分が、吸収材料の少なくとも１つの固定床を備える固定床反応器中の吸収材料と接触させられる、請求項１から９のいずれか一項に記載の方法。
【請求項１１】
汚染物質富化フィッシャー−トロプシュ軽油画分が、２６０℃以下の最終沸点を有する、請求項１から１０のいずれか一項に記載の方法。
【請求項１２】
汚染物質富化フィッシャー−トロプシュ軽油画分が、２６０℃超の初期沸点を有する、請求項１から１０のいずれか一項に記載の方法。
【請求項１３】
少なくとも１つの汚染物質富化フィッシャー−トロプシュ軽油画分が、３０未満のセーボルト数を有する、請求項１から１２のいずれか一項に記載の方法。
【請求項１４】
フィッシャー−トロプシュ由来の軽油が、４５０℃以下の最終沸点を有する、請求項１から１３のいずれか一項に記載の方法。
【請求項１５】
請求項１から１４のいずれか一項に記載の方法で得られた精製フィッシャー−トロプシュ軽油画分の、溶媒、希釈剤または機能性流体としての使用。
【発明の詳細な説明】
【技術分野】
【０００１】
本発明は、高純度フィッシャー−トロプシュ軽油画分を調製するための方法および溶媒または機能性流体としてのその使用に関する。
【背景技術】
【０００２】
この２０年間で、合成のパラフィン性炭化水素生成物に対する関心が増加している。かかる合成のパラフィン性生成物は、例えば、いわゆるフィッシャー−トロプシュ法で生成し、合成ガス、すなわち、水素および一酸化炭素が支配的である混合物が、パラフィンを含む高級炭化水素化合物に転換される。
【０００３】
特に重要な合成パラフィン性生成物は、フィッシャー−トロプシュ由来の軽油である。その起源が合成であるために、こうしたフィッシャー−トロプシュ軽油は、芳香族化合物、ナフテン系化合物および不純物がその原油由来の対応物に対して非常に低水準である。加えて、フィッシャー−トロプシュ由来の軽油は、低粘度を必要とする溶媒および機能性流体用途で有利である特性を有する。
【０００４】
ＵＳ２０１２／００４８７７５には、フィッシャー−トロプシュ合成によって生成するパラフィン性原料からの中間留分を生成するための方法が記載され、そこでは１５０℃から４００℃の範囲の初期沸点および３００℃から４５０℃の範囲の最終沸点を有する中間画分がイオン交換樹脂上を通過し、任意選択的にガード床上を通過することによって汚染物質が除去される。ＵＳ５９０６７２７では、約１６０から３７０℃の沸点範囲を有するフィッシャー−トロプシュ由来の溶媒が開示されている。ＵＳ５９０６７２７によれば、溶媒は、臭気が少なく、無色である（＋３０のセーボルト色番号）。
【０００５】
ＵＳ５９０６７２７で開示された溶媒に対してより狭い沸点範囲を有するフィッシャー−トロプシュ由来の溶媒に対する必要性が当技術分野に存在する。
【先行技術文献】
【特許文献】
【０００６】
【特許文献１】米国特許出願公開第２０１２／００４８７７５号明細書
【特許文献２】米国特許第５９０６７２７号明細書
【発明の概要】
【発明が解決しようとする課題】
【０００７】
（発明の要旨）
本発明は、高純度フィッシャー−トロプシュ軽油画分を調製するための方法を提供する。比較的広い沸点範囲、例えば、約１５０から４５０℃の範囲内を有するフィッシャー−トロプシュ由来の軽油がより狭い沸点範囲を有する２つ以上の画分に分画される場合、少なくとも１つの画分は臭気および／または変色の増加を示すことが発見された。実質的に無臭で無色のフィッシャー−トロプシュ由来の軽油を分画する場合に発生するこうした不利な副次効果はこれまで知られていなかった。今や、この課題を本発明に記載の方法によって解決できることが発見された。
【課題を解決するための手段】
【０００８】
したがって、本発明は、精製フィッシャー−トロプシュ軽油画分を調製するための方法であって、
ａ）フィッシャー−トロプシュ由来の軽油原料を異なる沸点範囲を有する２つ以上のフィッシャー−トロプシュ軽油画分に分画するステップであり、フィッシャー−トロプシュ由来の軽油が、フィッシャー−トロプシュ由来のパラフィン全量に対して炭素原子９から２５個を有するフィッシャー−トロプシュ由来をパラフィンの少なくとも７０重量％を含む、炭素原子７から３０個の範囲のアルキル鎖長を有するイソパラフィンおよび直鎖パラフィンを含めたパラフィンを含む流体であり、少なくとも１つのフィッシャー−トロプシュ軽油画分が、１種以上の汚染物質が原料に対して富化されている汚染物質富化フィッシャー−トロプシュ軽油画分であるステップ、
ｂ）汚染物質富化フィッシャー−トロプシュ軽油画分を、少なくとも１種の吸収材料を含む吸収ゾーンに供給し、汚染物質富化フィッシャー−トロプシュ軽油画分を吸収材料に接触させて少なくとも一部の汚染物質を吸収させるステップ、および
ｃ）吸収ゾーンから精製フィッシャー−トロプシュ軽油画分を高純度フィッシャー−トロプシュ軽油画分として回収するステップであり、その精製フィッシャー−トロプシュ軽油画分が汚染物質富化フィッシャー−トロプシュ軽油画分に対して汚染物質が激減しているステップ
を含み、汚染物質富化フィッシャー−トロプシュ画分中の汚染物質の少なくとも一部がステップ（ａ）の分画中に形成される、方法を提供する。
【０００９】
本発明に記載の方法によって、その調製元であるフィッシャー−トロプシュ由来の軽油（フィッシャー−トロプシュ由来の軽油とも呼ばれる）原料より狭い沸点範囲を有し、溶媒、希釈剤および機能性流体としての用途を有する高純度フィッシャー−トロプシュ軽油画分を調製することが可能になる。
【００１０】
本発明に記載の方法によって、所望の臭気特性および／または色仕様を有し、溶媒、希釈剤および機能性流体としての用途を有する精製フィッシャー−トロプシュ軽油画分を調製することがさらに可能になる。
【００１１】
本発明に記載の方法によって、例えば、濃硫酸のような強酸を用いる処理または複雑で高価な水素化処理に対して比較的単純で、安価および安全な吸収法を使用して汚染物質を除去することがさらに可能になる。
【００１２】
別の態様では、本発明は、本発明に記載の方法によって生成した精製フィッシャー−トロプシュ軽油画分の、溶媒、希釈剤または機能性流体としての使用を提供する。
【発明を実施するための形態】
【００１３】
本発明は、精製フィッシャー−トロプシュ軽油画分を調製するための方法を提供する。こうしたフィッシャー−トロプシュ軽油画分は、溶媒、希釈剤または機能性流体としての使用に、詳細には、本明細書に記載の用途に特に適している。
【００１４】
本発明に記載の方法では、画分は、フィッシャー−トロプシュ由来の軽油を供給し分画することによって調製される。本発明に記載のフィッシャー−トロプシュ由来の軽油は、フィッシャー−トロプシュ法に由来する合成軽油である。フィッシャー−トロプシュ由来の軽油は、当技術分野で公知である。「フィッシャー−トロプシュ由来の」という用語とは、軽油がフィッシャー−トロプシュ法の合成生成物であるまたはそれから生成したことを意味する。フィッシャー−トロプシュ法では、合成ガスは、合成生成物に転換される。合成ガスまたはシンガスは、炭化水素系原料を転換することによって得られる水素および一酸化炭素が支配的である混合物である。適切な原料として、天然ガス、原油、重油画分、石炭、バイオマスまたはリグノセルロース系バイオマスおよび褐炭が挙げられる。フィッシャー−トロプシュ由来の軽油はまた、ＧＴＬ（気体から液体）軽油とも呼ぶことができる。フィッシャー−トロプシュ由来の軽油は、合成ガスまたは水素および一酸化炭素が支配的である混合物が、１種または複数のＶＩＩＩ族金属、例えば、コバルト、ルテニウム、鉄などからなる担持触媒上で高温において加工されるようなフィッシャー−トロプシュ法の生成物を特徴とする。フィッシャー−トロプシュ生成物の少なくとも一部分は、水素化分解反応と水素化異性化反応の両方を生成する場合に活性である、１種または複数の金属、水素化成分および酸性酸化物担体成分を含む好ましくは二機能性の１種または複数の触媒上で、水素化分解／水素化異性化条件下で水素と接触する。生じた水素化分解／水素化異性化されたフィッシャー−トロプシュ生成物の少なくとも一部分は、フィッシャー−トロプシュ由来の軽油として供給することができる。
【００１５】
フィッシャー−トロプシュ由来の軽油は、原油由来の軽油と異なる。類似の沸点範囲を有するにも拘わらず、フィッシャー−トロプシュ由来の軽油の特異な分子組成によって、とりわけ、粘度特性の改善、流動点の改善、密度特性の改善、および詳細には、所望の特定な引火点特性と任意の前記特性との組合せが可能になり得る。例えば、フィッシャー−トロプシュ由来の軽油は、低揮発性と高引火点を組み合わせることができるが、かかるフィッシャー−トロプシュ由来の軽油の粘度は、類似の揮発性および引火点を有する原油に由来する軽油の粘度より低くすることができる。上記にも拘わらず、フィッシャー−トロプシュ由来の軽油は、例えば、純ｎ−ドデカンのような純パラフィン性分子と比較にならないほどの複雑な分子混合物である。
【００１６】
原油由来の軽油に対して異なる、フィッシャー−トロプシュ由来の軽油の特性は、一般に、イソパラフィンと直鎖パラフィンの特定の重量比（ｉ／ｎ比）、モノメチル分枝イソパラフィンの相対量およびパラフィンの分子量分布、ならびに実質的なレベルの芳香族化合物およびナフテン類が存在しないことによる。
【００１７】
フィッシャー−トロプシュ由来の軽油の特定の利点は、こうした軽油が非常に少ない臭気を示し、ほとんど無色であることである。本明細書で使用される色は、セーボルト数（ＡＳＴＭ  Ｄ１５６：Ｓｔａｎｄａｒｄ  Ｔｅｓｔ  Ｍｅｔｈｏｄ  ｆｏｒ  Ｓａｙｂｏｌｔ  Ｃｏｌｏｒ  ｏｆ  Ｐｅｔｒｏｌｅｕｍ  Ｐｒｏｄｕｃｔｓ）で測定されるセーボルト色である。高いセーボルト数、＋３０は、無色の流体を示すのに対し、より低いセーボルト数、詳細には、ゼロ未満は、変色を示す。２５未満のセーボルト数は、すでに、目視観察できる変色の存在を示す。フィッシャー−トロプシュ由来の軽油は、通常、最大のセーボルト数、すなわち、＋３０を有する。上記した粘度、流動点、密度および引火点特性の改善と合わせて高い純度、小さい臭気および最小の色特性は、フィッシャー−トロプシュ由来の軽油を、溶媒、希釈剤および機能性流体の用途に対して極めて適したものにする。
【００１８】
こうした低い臭気および最小の色特性は、部分的に、汚染物質がフィッシャー−トロプシュ由来の軽油原料中に存在する場合があるが、フィッシャー−トロプシュ由来の軽油中のこうした汚染物質の濃度は比較的低いという事実によって引き起こされる。これは、フィッシャー−トロプシュ由来の軽油を作製するためのフィッシャー−トロプシュ法の特質のためであり、フィッシャー−トロプシュ法への原料は、ほとんどまたは全くイオウを含まず、本方法は、不飽和化合物、例えば、芳香族化合物、含酸素化合物および亜硝酸化合物を非常に少ししか生成しない。今や、フィッシャー−トロプシュ由来の軽油を異なる沸点範囲を有する２つ以上の画分に分画することによってフィッシャー−トロプシュ由来の軽油の特定の用途の具体的な要件を満足させることが可能であることが発見された。フィッシャー−トロプシュ由来の軽油を分画することによって、イソパラフィンおよび直鎖パラフィンが２つ以上の画分で不均等に分布し、フィッシャー−トロプシュ由来の軽油原料と異なるｉ／ｎ比を有するフィッシャー−トロプシュ軽油画分を得ることができる。またモノメチル分枝イソパラフィンの相対量およびパラフィンの分子量分布も異なることができる。結果として、フィッシャー−トロプシュ由来の軽油画分の粘度、流動点、密度および引火点特性は、沸点範囲のみに基づく分画に基づいて予想される変化を超えて変化することができる。
【００１９】
本発明に記載の方法では、フィッシャー−トロプシュ由来の軽油原料は、分画ゾーンに供給される。本明細書における分画ゾーンとは、フィッシャー−トロプシュ由来の軽油原料を沸点範囲が異なる２つ以上の画分に分離するための１つ以上の分離手段を指す。適切な分離手段の例として、限定されないが、蒸留ユニットが挙げられる。好ましくは、フィッシャー−トロプシュ由来の軽油原料は、蒸留によって分画される。フィッシャー−トロプシュ由来の軽油原料は、単一の蒸留塔または２つ以上の蒸留塔で分画することができる。フィッシャー−トロプシュ由来の軽油原料は、１つ以上の蒸留塔で分画されることが好ましい。本発明に記載の方法では、フィッシャー−トロプシュ由来の軽油原料は、好ましくは、蒸留によって分画され、フィッシャー−トロプシュ由来の軽油原料が、フィッシャー−トロプシュ由来の軽油原料の一部または全部を１５０から５００℃の範囲の温度まで加熱することによって分画される、すなわち、蒸留される。
【００２０】
分画ゾーンでは、フィッシャー−トロプシュ由来の軽油原料は、２つ以上のフィッシャー−トロプシュ由来の軽油画分に分画されるが、さらに本明細書では、フィッシャー−トロプシュ由来の軽油画分とは、それぞれが異なる沸点範囲を有するものを指す。好ましくは、フィッシャー−トロプシュ由来の軽油原料は、３つ以上、より好ましくは、４つ以上に分画され、フィッシャー−トロプシュ軽油画分はそれぞれが異なる沸点範囲を有する。フィッシャー−トロプシュ軽油画分の好ましくは、少なくとも１つ、より好ましくは、少なくとも２つは、２６０℃以下、好ましくは、２５０℃以下、より好ましくは、２１５℃以下の最終沸点を有する。本明細書では、最終沸点とは、フィッシャー−トロプシュ軽油画分の沸点範囲の高い方の限界を指し、この沸点範囲は、ＡＳＴＭ  Ｄ８６によって決定される大気条件下で測定される初期沸点と最終沸点の間の範囲として定義される。
【００２１】
同様に好ましくは、フィッシャー−トロプシュ軽油画分の少なくとも１つ、より好ましくは、少なくとも２つは、２６０℃超、好ましくは、少なくとも３００℃、より好ましくは、少なくとも３１０℃の初期沸点を有する。本明細書では、初期沸点とは、フィッシャー−トロプシュ軽油画分の沸点範囲の低い方の限界を指し、この沸点範囲は、ＡＳＴＭ  Ｄ８６によって決定される大気条件下で測定される初期沸点と最終沸点の間の範囲として定義される。
【００２２】
フィッシャー−トロプシュ由来の軽油原料は、本明細書で前述したように、実質的に無臭および無色であるが、フィッシャー−トロプシュ由来の軽油原料を分画することによって得られたフィッシャー−トロプシュ画分は、すべてが無臭および／または無色であるとは限らない場合がある。フィッシャー−トロプシュ由来の軽油を分画する場合、フィッシャー−トロプシュ由来の軽油原料中の炭化水素化合物は、任意選択的に、酸素または酸素含有化合物の存在下で高温にさらされる。結果として、フィッシャー−トロプシュ由来の軽油原料中に存在しなかった、または存在しなかったもしくは低い濃度ではあるが存在した汚染物質を形成する望ましくない副反応が分画中に行われる恐れがある。
【００２３】
行われる恐れがある一つの具体的な副反応は、フィッシャー−トロプシュ由来の軽油原料中の１種以上の炭化水素化合物、詳細には、パラフィンの、不飽和脂肪族炭化水素化合物および芳香族化合物を含めた不飽和および／または多重不飽和炭化水素化合物への熱脱水素化である。１種以上の炭化水素化合物の熱脱水素化は、限定されないが、酸化、芳香族化、異性化、オリゴマー化、分解、およびアルキル化副反応を含めた広範囲のさらなるまたは続いての副反応をもたらす場合がある。詳細には、不飽和脂肪族炭化水素化合物の酸化およびより限定的な芳香族化および／または脱水素芳香族化反応は、副生物として含酸素化合物および芳香族汚染物質の形成をもたらす場合がある。分画ユニット、詳細には、蒸留ユニットの金属表面の存在は、脱水素化および続いての酸化および芳香族化および／または脱水素芳香族化反応を触媒することができる。
【００２４】
詳細には、任意の形成された不飽和脂肪族炭化水素化合物の含酸素化合物汚染物質への続いての熱酸化が発生する場合がある。詳細には、１８０℃超の温度で、不飽和脂肪族炭化水素化合物は、益々熱酸化しやすくなる。また、分画ユニット、詳細には、蒸留ユニットの金属表面の存在は、酸化反応を触媒することができる。本明細書で、酸化とは、分画中の酸素との反応を指す。酸素は、分画ユニット中に存在する場合がある。酸素は、分画ユニット中に存在する空気の形態で工程中に導入される場合がある。
【００２５】
上述の副反応に加えて、フィッシャー−トロプシュ由来の軽油原料中の他の炭化水素化合物の熱酸化が起きる場合がある。
【００２６】
一つの具体的な場合では、ステップ（ａ）で供給されるフィッシャー−トロプシュ由来の軽油原料は、１種以上の汚染物質をすでに含む、詳細には、フィッシャー−トロプシュ由来の軽油原料は、汚染物質として１種以上の不飽和脂肪族炭化水素化合物を含む場合がある。フィッシャー−トロプシュ由来の軽油原料中の不飽和脂肪族炭化水素化合物汚染物質の濃度は、原油由来の軽油に対して低いが、それでもこうした不飽和脂肪族炭化水素化合物は、さらなる含酸素化合物汚染物質に酸化される場合がある。
【００２７】
フィッシャー−トロプシュ由来の軽油原料中のパラフィンは、直接含酸素化合物まで酸化される場合がある。
【００２８】
本明細書における汚染物質は、非パラフィン性で非ナフテン性の化合物である。本明細書において汚染物質という用語は、含酸素化合物および不飽和炭化水素化合物からなる群から選択される化合物を指す。
【００２９】
本明細書において含酸素化合物という用語は、酸素含有炭化水素性化合物を指す。含酸素化合物の例として、限定されないが、アルコール、ケトン、アルデヒド、エーテル、エポキシドおよび酸が挙げられる。
【００３０】
本明細書で不飽和炭化水素化合物という用語は、不飽和脂肪族炭化水素化合物および芳香族化合物を含めた、１種以上の不飽和結合を有する化合物を指す。
【００３１】
本明細書において芳香族化合物という用語は、多環式芳香族化合物を含めた、芳香族化合物および１つ以上の芳香族基を有する化合物を指す。
【００３２】
含酸素化合物および芳香族化合物は、汚染物質富化フィッシャー−トロプシュ軽油画分の臭気および変色に最も顕著に寄与すると考えられる。本明細書では、含酸素化合物は、汚染物質富化フィッシャー−トロプシュ軽油画分の臭気およびより低い程度での変色に最も顕著に寄与すると考えられている。芳香族化合物は、汚染物質富化フィッシャー−トロプシュ軽油画分の変色および臭気に最も顕著に寄与すると考えられている。
【００３３】
本明細書において汚染物質濃度という用語は、特段の記載のない限り、重量ｐｐｍで表され、それぞれフィッシャー−トロプシュ由来の軽油、汚染物質富化フィッシャー−トロプシュ軽油画分または精製フィッシャー−トロプシュ軽油画分の全量と汚染物質の全重量に基づいて計算された汚染物質濃度を指す。
【００３４】
分画中に形成される含酸素化合物および芳香族化合物は、２つ以上のフィッシャー−トロプシュ軽油画分に異なる分布をする場合がある。詳細には、より小さい分子量のおよび／またはより揮発性の汚染物質は、より高い沸点画分に滞留するのではなく、より低い沸点画分に集積する場合があることが観察されている。こうした汚染物質は、画分の望ましくない臭気および任意選択的に、変色を引き起こすと考えられている。
【００３５】
詳細には、より大きい分子量のおよび／または揮発性のより小さい汚染物質は、より低い沸点画分に滞留するのでなくより高い沸点画分に集積する場合があることが観察されている。こうした汚染物質は、画分の望ましくない変色をもっぱら引き起こすと考えられている。
【００３６】
本発明に記載の方法では、ステップ（ａ）で調製された少なくとも１つのフィッシャー−トロプシュ軽油画分は、汚染物質富化フィッシャー−トロプシュ軽油画分である。本明細書における汚染物質富化フィッシャー−トロプシュ軽油画分は、フィッシャー−トロプシュ由来の軽油原料より高い濃度の１種以上の汚染物質を含むフィッシャー−トロプシュ軽油画分を指す。これは、フィッシャー−トロプシュ由来の軽油原料にまったく存在しなかった、分画中に形成された汚染物質を含む。詳細には、汚染物質富化フィッシャー−トロプシュ軽油画分は、含酸素化合物および芳香族化合物からなる群から選択される少なくとも１種の汚染物質を含むことができる。
【００３７】
本発明に記載の方法では、汚染物質富化フィッシャー−トロプシュ画分中の汚染物質の少なくとも一部分は、ステップ（ａ）の分画中に形成される。ステップ（ａ）の分画中に形成されなかった汚染物質富化フィッシャー−トロプシュ画分中の汚染物質の少なくとも一部分は、好ましくは、フィッシャー−トロプシュ由来の軽油原料の一部分であった。
【００３８】
分画中の汚染物質の形成およびその結果としての汚染物質富化フィッシャー−トロプシュ軽油画分中の汚染物質の存在または増加した濃度の効果は、汚染物質富化フィッシャー−トロプシュ軽油画分のセーボルト数が不必要に低くなる、またはフィッシャー−トロプシュ由来の軽油原料のセーボルト数より少なくとも低くなる、すなわち、画分の着色が増加することであり得る。この望ましくない変色は、より高い沸点のフィッシャー−トロプシュ軽油画分で特に観察される。いかなる特定の理論にも拘泥することを望むものではないが、詳細には、より複雑で共役の分子は光の放出および吸収に影響を与えると考えられている。かかる複雑で共役の分子は、より大きい分子量である可能性が高い。より低い画分の変色も、程度は低いけれども発生する場合があることが観察されている。
【００３９】
分画中の汚染物質の形成およびその結果としての汚染物質富化フィッシャー−トロプシュ軽油画分中の汚染物質の存在または増加した濃度のさらなる効果は、望ましくない臭気、または少なくとも、フィッシャー−トロプシュ由来の軽油原料に対してフィッシャー−トロプシュ軽油画分によって放出される臭気の望ましくない増加であり得る。この望ましくない臭気は、より低い沸点のフィッシャー−トロプシュ軽油画分で特に観察される。いかなる特定の理論にも拘泥することを望むものではないが、詳細には、より揮発性の低分子量分子は臭気を存在させると考えられている。
【００４０】
フィッシャー−トロプシュ由来の軽油および詳細には、フィッシャー−トロプシュ由来のパラフィンは、本質的に臭気を有する。したがって、本明細書で臭気のない、低い臭気または少ない臭気のような用語を指す場合は、フィッシャー−トロプシュ由来の軽油またはパラフィンの臭気に定性的に等しいまたは定性的に類似である臭気を指す。本明細書では、増加した臭気、より強い臭気および望ましくない臭気または類似の属性の用語を指す場合は、フィッシャー−トロプシュ由来の軽油またはパラフィンの臭気と定性的に異なる臭気を指す。臭気におけるこの差は、汚染物質富化画分の臭気をフィッシャー−トロプシュ由来の軽油原料と比較し、差を分類することによって特徴づけることができる、すなわち、１は、フィッシャー−トロプシュ由来の軽油原料に定性的に等しい（良好な臭気の特徴）が、５は、フィッシャー−トロプシュ由来の軽油原料と定性的に非常に異なる（不良な臭気の特徴）。
【００４１】
好ましくは、フィッシャー−トロプシュ由来の軽油原料は、分画されて少なくとも２つのフィッシャー−トロプシュ軽油画分になり、その少なくとも２つのフィッシャー−トロプシュ軽油画分のうち少なくとも１つが、２６０℃以下、好ましくは、２５０℃以下、より好ましくは、２１５℃以下の最終沸点を有する少なくとも１つの汚染物質富化フィッシャー−トロプシュ軽油画分である。同様に好ましくは、フィッシャー−トロプシュ由来の軽油原料は、分画されて少なくとも２つのフィッシャー−トロプシュ軽油画分になり、その少なくとも２つのフィッシャー−トロプシュ軽油画分のうち少なくとも１つが、２６０℃超、好ましくは、少なくとも３００℃、より好ましくは、少なくとも３１０℃の初期沸点を有する汚染物質富化フィッシャー−トロプシュ軽油画分である。通常、２６０℃超の初期沸点を有する汚染物質富化フィッシャー−トロプシュ軽油画分のセーボルト数は、３０未満、詳細には、少なくとも２、任意選択的に少なくとも５であってよく、フィッシャー−トロプシュ由来の軽油原料のセーボルト数より小さくてもよい。
【００４２】
１つを超える汚染物質富化フィッシャー−トロプシュ軽油画分が生成される場合、汚染物質富化フィッシャー−トロプシュ軽油画分の上記特性は、少なくとも１つの汚染物質富化フィッシャー−トロプシュ軽油画分に適用することができるが、他の汚染物質富化フィッシャー−トロプシュ軽油画分にも適用可能である。
【００４３】
上記の変色と臭気の増加の両方は、望ましくない特性であり、溶媒、希釈剤または機能性流体用途におけるフィッシャー−トロプシュ軽油画分の使用に利点を与えない。フィッシャー−トロプシュ軽油画分を広範囲の溶媒、希釈剤または機能性流体用途で適するようにするために、汚染物質富化フィッシャー−トロプシュは、臭気および／または変色を低減するためにさらなる処理を受けるべきである。
【００４４】
したがって、本発明に記載の方法には、汚染物質富化フィッシャー−トロプシュ軽油画分を吸収ゾーンに供給するステップがさらに含まれる。吸収ゾーンは、汚染物質の少なくとも一部分を吸収するのに適している少なくとも１種の吸収材料を含む。本明細書で吸収材料とは、吸収材料および吸着材料を指す。本明細書において吸収することは、吸収することおよび吸着することを指す。本明細書において吸収は、吸収および吸着を指す。
【００４５】
好ましくは、吸収ゾーンは、ケイ酸マグネシウムおよび４Ａまたは５Ａモレキュラーシーブを含むモレキュラーシーブ材料、ゼオライトＸ、ゼオライト１３Ｘ、ゼオライトＹ、脱アルミニウムゼオライトＹ、超安定化Ｙ（ｕｌｔｒａｓｔａｂｌｅ  Ｙ）、ＺＳＭ−１２、モルデナイト、ゼオライトベータ、ゼオライトＬ、ゼオライトオメガからなる群から選択される少なくとも１種の吸収材料を含む。
【００４６】
いかなる特定の理論にも拘泥することを望むものではないが、詳細には、より大きな細孔径、すなわち、０．５ｎｍ（５オングストローム）以上を超える径を有する吸収材料は、含酸素化合物および他の汚染物質に加えて比較的大きな芳香族化合物を吸収することができると考えられる。より小さい細孔径を有する吸収材料は、詳細には含酸素化合物を含めた非芳香族化合物を支配的に吸収する。
【００４７】
したがって、吸収ゾーンは、０．５ｎｍ（５オングストローム）超、より好ましくは、少なくとも０．５５ｎｍ（５．５オングストローム）、さらにより好ましくは、少なくとも０．６ｎｍ（６オングストローム）、さらにより好ましくは、少なくとも０．６５ｎｍ（６．５オングストローム）の細孔径を有する細孔を含む少なくとも１種の吸収材料を含むことが特に好ましい。好ましくは、吸収ゾーンは、ゼオライトＸ、ゼオライト１３Ｘ、ゼオライトＹ、脱アルミニウムゼオライトＹ、超安定化Ｙ（ｕｌｔｒａｓｔａｂｌｅ  Ｙ）、ＺＳＭ−１２、モルデナイト、ゼオライトベータ、ゼオライトＬ、ゼオライトオメガ、より好ましくは、ゼオライトＸ、ゼオライト１３Ｘ、ゼオライトＹ、脱アルミニウムゼオライトＹ、超安定化Ｙ（ｕｌｔｒａｓｔａｂｌｅ  Ｙ）、ＺＳＭ−１２、モルデナイト、ゼオライトベータ、ゼオライトＬ、ゼオライトオメガからなる群から選択されるモレキュラーシーブ材料である少なくとも１種の吸収材料を含み、さらにより好ましくは、吸収材料は、ゼオライトＸのナトリウム形態であるゼオライト１３Ｘである。吸収ゾーンが少なくとも１種のモレキュラーシーブ吸収材料を含む場合、少なくとも１種のモレキュラーシーブ吸収材料は、０．５ｎｍ（５オングストローム）超、より好ましくは、少なくとも０．５５ｎｍ（５．５オングストローム）、さらにより好ましくは、少なくとも０．６ｎｍ（６オングストローム）、さらにより好ましくは、少なくとも０．６５ｎｍ（６．５オングストローム）の直径を有する、１つ以上の方向におけるチャネル構造を有することが好ましい。
【００４８】
吸収ゾーンは、２種以上の吸収材料、好ましくは、上記の吸収材料から選択される２種以上を含むことができる。吸収材料の好ましい組合せとして、ゼオライト１３Ｘとケイ酸マグネシウムを挙げることができる。吸収材料の別の好ましい組合せとして、ゼオライト１３Ｘと活性炭を挙げることができる。吸収材の組合せは、より広い範囲の汚染物質、例えば、より大きいとより小さい両方の分子径の汚染物質、例えば、含酸素化合物と芳香族化合物または極性と非極性汚染物質をより効率的に吸収することが可能になる場合がある。
【００４９】
本発明の方法で吸収材料として使用されるモレキュラーシーブは、好ましくは、骨格のシリカ対アルミナのモル比が１００未満、より好ましくは、１０超、例えば２０から５０である酸性モレキュラーシーブに基づいている。シリカのより少ない材料は、利用可能な吸着サイト用のサイトがより多く、したがって、シリカのより多いモレキュラーシーブ材料よりより効率的であり得る。
【００５０】
本発明の方法の吸収ゾーンで使用される吸収材料は、粒子、例えば、押出成型体、球またはペレットの形態で提供することができる。粒子は、吸収材料のみ、または結合剤材料またはフィラー材料と一緒に吸収材料を含んで粒子の強度を改善することもできる。結合剤またはフィラー材料は、例えば、アルミナ、シリカ、ジルコニアおよびチタニアを含めての非晶質金属酸化物であってよい。好ましくは、結合剤またはフィラー材料はアルミナである。
【００５１】
好ましくは、汚染物質富化フィッシャー−トロプシュ軽油画分は、０から１５０℃の範囲の温度で吸収ゾーン中の吸収材料と接触する。汚染物質富化フィッシャー−トロプシュ軽油画分が吸収ゾーン中の吸収材料と接触する温度範囲のより低い限界は、吸収が拡散律速であり、０℃未満の温度は汚染物質富化フィッシャー−トロプシュ軽油画分から吸収材料への汚染物質の拡散速度の望ましくない減少を引き起こす恐れがあるという事実に関係している。接触温度が上昇、すなわち、０℃超になると、拡散速度は増加することができる。１５０℃未満の温度を維持することによって、副生物の形成が低減する。こうした副生物は生じたフィッシャー−トロプシュ軽油画分の応用に対して望ましくない効果を有する場合があるので、このことは重要である。
【００５２】
より好ましくは、汚染物質富化フィッシャー−トロプシュ軽油画分は、１０から４０℃の範囲、最も好ましくは、１０から３０℃の範囲の温度で吸収ゾーン中の吸収材料と接触する。
【００５３】
好ましくは、汚染物質富化フィッシャー−トロプシュ軽油画分は、１から７５バール、好ましくは、１．１から５０バールの範囲の圧力で吸収ゾーン中の吸収材料と接触する。
【００５４】
汚染物質富化フィッシャー−トロプシュ軽油画分は、バッチ方式または連続様式で吸収材料と接触することができる。汚染物質富化フィッシャー−トロプシュ軽油画分は、乱流条件下で吸収材料と接触して流体／固体材料の相互作用を刺激することが好ましい。連続様式の場合では、吸収ゾーンは、好ましくは、吸収材料の少なくとも１つの固定床を備える固定床反応機を含むことができる。
【００５５】
好ましくは、汚染物質富化フィッシャー−トロプシュ軽油画分は、連続撹拌または誘導混合下で吸収材料と接触するが、これは、バッチ方式の運転の場合において特に好ましい。
【００５６】
好ましくは、汚染物質富化フィッシャー−トロプシュ軽油画分は、汚染物質の少なくとも一部を吸収するのに十分な時間吸収ゾーン中の吸収材料と接触する。汚染物質富化フィッシャー−トロプシュ軽油画分と吸収材料とのバッチ方式接触の場合では、汚染物質富化フィッシャー−トロプシュ軽油画分は、１分から４８時間、好ましくは、３０分から２４時間、より好ましくは、６０分から２４時間の範囲の任意の時間、吸収材料と接触することができる。好ましくは、バッチ接触では、汚染物質富化フィッシャー−トロプシュ軽油画分は、０．５から２００、より好ましくは、１から１７５、さらにより好ましくは、５から１２５の範囲の、汚染物質富化フィッシャー−トロプシュ軽油画分と吸収材料の体積比で吸収材料と接触することができる。
【００５７】
汚染物質富化フィッシャー−トロプシュ軽油画分と吸収材料の連続接触の場合、汚染物質富化フィッシャー−トロプシュ軽油画分は、１分から４８時間、好ましくは、３０分から２４時間、より好ましくは、６０分から２４時間の範囲の任意の時間吸収材料と接触することができる。好ましくは、汚染物質富化フィッシャー−トロプシュ軽油画分は、０．０００１から０．０１ｓ−１、より好ましくは、０．０００１から０．００５ｓ−１、さらにより好ましくは、０．０００１から０．００３ｓ−１のＬＨＳＶで吸収ゾーンにおいて吸収材料と接触する。
【００５８】
吸収ゾーンは、１つ以上の吸収区画を備えることができる。一実施形態では、吸収ゾーンは、直列で２つ以上の吸収区画を備えることができる。任意選択的に、吸収ゾーンは、２つ以上の区画を備え、それぞれが別個の吸収材を含むことができる。これは、異なる汚染物質を必要な程度まで別々に除去できるという利点を有する。一例では、ケイ酸Ｍｇまたは類似の吸収材料を含む第１区画およびゼオライト１３Ｘまたは類似の大細孔モレキュラーシーブ吸収材料を含む第２区画であってよい。この組合せは、ケイ酸Ｍｇまたは類似の吸収材料が一部分の含酸素化合物を吸収することができ、そのためにゼオライト１３Ｘまたは類似の大細孔モレキュラーシーブ吸収材料の吸収能の大部分を芳香族系汚染物質用に使用することを可能にするという利点を有する。代替的に、吸収ゾーンは、２種以上の吸収材料の混合物を含むこともできる。
【００５９】
さらなる実施形態では、吸収ゾーンは、並列で、好ましくは、同一の吸収材料を含む２つ以上の吸収区画を備えることができる。並列の吸収ゾーンを備える利点は、これによって、吸収工程の連続運転が可能になり、吸収床が交互に再生され（本明細書で以下により詳細に説明されるように）、一方残りの区画が通常の運転方式であることである。
【００６０】
他の実施形態は、並列と直列に並んだ吸収ゾーンの両方を備えることができる。
【００６１】
本発明に記載の方法では、精製フィッシャー−トロプシュ軽油画分は、高純度フィッシャー−トロプシュ軽油画分として吸収ゾーンから回収される。吸収ゾーンから回収された精製フィッシャー−トロプシュ軽油画分は、汚染物質が激減している、すなわち、精製フィッシャー−トロプシュ軽油画分は、汚染物質富化フィッシャー−トロプシュ軽油画分の汚染物質濃度より低い汚染物質濃度を有する。好ましくは、精製フィッシャー−トロプシュ軽油画分の芳香族化合物および含酸素化合物濃度のうちの少なくとも１つは、汚染物質富化フィッシャー−トロプシュ軽油画分の対応する濃度より低い。より好ましくは、精製フィッシャー−トロプシュ軽油画分の芳香族化合物および含酸素化合物濃度は、汚染物質富化フィッシャー−トロプシュ軽油画分の対応する濃度より低い。
【００６２】
好ましくは、本発明に記載の精製フィッシャー−トロプシュ軽油画分は、
・精製フィッシャー−トロプシュ軽油画分の重量に対して０から５００重量ｐｐｍ、より好ましくは、０から２００重量ｐｐｍ、さらにより好ましくは、０から１００重量ｐｐｍ、さらにより好ましくは、０から５０重量ｐｐｍ、最も好ましくは、０から２５重量ｐｐｍの範囲の芳香族化合物、
・含酸素化合物中の元素酸素の重量および精製フィッシャー−トロプシュ軽油画分の重量を基準にして計算された０から３重量ｐｐｍ、より好ましくは、０から１重量ｐｐｍの範囲の含酸素化合物、および／または
・ＡＳＴＭ  Ｄ２７１０にしたがって測定された０から１００、好ましくは、０から７５、より好ましくは、０から５０、さらにより好ましくは、０から３５の範囲のＢｒ指数（ｍｇＢｒ／１００ｇ原料）に対応する不飽和脂肪族炭化水素化合物濃度を含む。
【００６３】
より好ましくは、本発明に記載の精製フィッシャー−トロプシュ軽油画分は、
・精製フィッシャー−トロプシュ軽油画分の重量に対して０から５００重量ｐｐｍ、より好ましくは、０から２００重量ｐｐｍ、さらにより好ましくは、０から１００重量ｐｐｍ、さらにより好ましくは、０から５０重量ｐｐｍ、最も好ましくは、０から２５重量ｐｐｍの範囲の芳香族化合物、および
・含酸素化合物中の元素酸素の重量および精製フィッシャー−トロプシュ軽油画分の重量を基準にして計算された０から３重量ｐｐｍ、より好ましくは、１重量ｐｐｍからの範囲の含酸素化合物を含む。上記では、含酸素化合物の濃度が軽油中に存在する酸素原子の重量に基づいて決定され、こうした酸素原子を含む完全な分子の重量に基づいて決定されていないことを示すために、元素酸素に言及する。
【００６４】
もしあれば精製フィッシャー−トロプシュ軽油画分中に残存する汚染物質は、フィッシャー−トロプシュ由来の軽油原料の分画中に形成された場合があるまたは分画前にフィッシャー−トロプシュ由来の軽油原料中に存在した場合がある。
【００６５】
１つ超の汚染物質富化フィッシャー−トロプシュ軽油画分が存在する場合、それぞれの汚染物質富化フィッシャー−トロプシュ軽油画分は、好ましくは、別個の吸収材料（複数可）を含む別個の吸収ゾーンに供給されて１つ超の精製フィッシャー−トロプシュ軽油画分が調製される。これは、分画および吸収工程ステップが連続方式で運転される場合に特に該当する。１つ超の精製フィッシャー−トロプシュ軽油画分の個別の画分のそれぞれは、好ましくは、上記の範囲内にあるそれ自体の特定の汚染物質濃度を有することができる。
【００６６】
分画中に導入された窒素含有化合物および／またはイオウ含有化合物もまた含酸素化合物および芳香族化合物に加えて吸収され得ることが本発明に記載の方法の利点である。
【００６７】
精製フィッシャー−トロプシュ軽油画分に加えて、汚染物質含有吸収材料を吸収ゾーンから回収することができる。汚染物質含有吸収材料は、吸収ゾーンに再循環することができる、または詳細には、吸収材料の収着能に到達した場合、汚染物質含有吸収材料は、再生することができる。吸収材料は、吸収材料から汚染物質を脱着するまたは他の方法で除去する任意の適切な方式で再生することができる。例えば、吸収材料は、蒸気または窒素のような脱着材を用いて取り除くことによって、または例えば、酸素、酸素富化空気、空気または水素含有ガスの存在下で吸収材料を加熱して吸収された汚染物質を焼き払うまたは他の方法で分解することによって再生することができる。吸収材料を再生した後に、それを吸収ゾーンに再循環することができる。
【００６８】
汚染物質富化フィッシャー−トロプシュ軽油画分に加えて、汚染物質富化されていないフィッシャー−トロプシュガソリン画分もまたステップ（ａ）で調製することができる。汚染物質富化されていないかかるフィッシャー−トロプシュガソリン画分は、工程から、すなわち、こうした画分をさらなるフィッシャー−トロプシュガソリン画分として吸収ステップ（ｂ）に掛けることなしで直接回収することができるフィッシャー−トロプシュガソリン画分である。
【００６９】
精製フィッシャー−トロプシュガソリン画分として吸収ゾーンから回収された精製フィッシャー−トロプシュガソリン画分（ステップ（ｃ））は、任意選択的によりさらなる処理後に、所望の用途のために使用することができる。
【００７０】
さらなる態様では、本発明は、溶媒としての、機能性流体製剤または希釈剤での精製フィッシャー−トロプシュ軽油画分の使用を提供する。本明細書での機能性流体製剤は、好ましくは添加剤化合物をさらに含む精製フィッシャー−トロプシュ軽油画分を含む製剤であってよい。通常、溶媒、機能性流体製剤および希釈剤は、多数の領域、例えば、油およびガスの探査および生産、プロセス油、農業用化学薬品、プロセス化学薬品、建設産業、食品および関連産業、紙、生地および皮革、ならびに多様な家庭用品および消費者用製品で使用することができる。さらに、本発明に記載の機能性流体製剤で使用される添加剤の型は、流体製剤の型によって決まる。機能性流体製剤用の添加剤として、限定されないが、腐食およびレオロジー制御製品、乳化剤および湿潤剤、掘削安定剤、高圧および耐摩耗添加剤、脱および消泡剤、流動点抑制剤、および酸化防止剤が挙げられる。
【００７１】
希釈油または基油として本発明に記載の方法で得られた精製フィッシャー−トロプシュ軽油画分を使用する好ましい溶媒、希釈剤および／または機能性流体製剤として、限定されないが、ドリル流体、加熱燃料、ランプ油、バーベキューライター、コンクリート脱型、殺虫剤スプレー油、ペンキおよびコーティング、パーソナルケアおよび化粧品、消費財、医薬品、工業および機関用クリーニング、接着剤、インク、空気清浄剤、シーラント、爆薬、水処理、クリーナー、磨き粉、カー脱ワックス剤、放電器、変圧器油、プロセス油、プロセス化学薬品、シリコーンワニス、２ストロークモーターサイクル油、金属クリーニング、ドライクリーニング、潤滑剤、金物工事流体、アルミニウムロール油、爆薬、塩素化パラフィン、加熱硬化印刷インク、木材処理、ポリマー加工油、錆止油、ショック吸収剤、温室燃料、破壊流体および燃料添加剤製剤が挙げられる。
【００７２】
典型的な溶媒、希釈剤および機能性流体用途は、例えば、「Ｔｈｅ  Ｉｎｄｅｘ  ｏｆ  Ｓｏｌｖｅｎｔｓ」、Ｍｉｃｈａｅｌ  Ａｓｈ、Ｉｒｅｎｅ  Ａｓｈ、Ｇｏｗｅｒ  ｐｕｂｌｉｓｈｉｎｇ  Ｌｔｄ、１９９６、ＩＳＢＮ  ０−５６６−０７８８４−８  および「Ｈａｎｄｂｏｏｋ  ｏｆ  Ｓｏｌｖｅｎｔｓ」、Ｇｅｏｒｇｅ  Ｗｙｐｙｃｈ、Ｗｉｌｌｅｍ  Ａｎｄｒｅｗ  ｐｕｂｌｉｓｈｉｎｇ、２００１、ＩＳＢＮ  ０−８１５５−１４５８−１に記載されている。
【００７３】
溶媒、希釈剤として、または機能性流体製剤中での精製フィッシャー−トロプシュ軽油画分の使用の利点は、精製フィッシャー−トロプシュ軽油画分は、粘度が低く、流動点が低いが、引火点が高いということである。精製フィッシャー−トロプシュ軽油画分の物理的特性のこうした組合せは、低粘度の要件と合わせて機能性流体製剤でのその使用で非常に望ましい。
【００７４】
例えば、ドリル流体用途において、使用中、ドリル流体の温度が低下する可能性があり、これによってドリル流体の粘度の増加がもたらされる可能性がある。高粘度は、ドリル流体の有利な使用にとって有害になる可能性がある。したがって、粘度が低く、引火点が高い本発明による方法から得られる精製フィッシャー−トロプシュ軽油画分は、ドリル流体用途でのその使用にとって非常に望ましい。
【００７５】
希釈剤としての精製フィッシャー−トロプシュ軽油画分の使用は、溶媒および／または機能性流体用途のための希釈油または基油としての使用を含むことができる。
【００７６】
希釈油という用語は、粘度を低減するおよび／または溶媒および機能性流体製剤の他の特性を改善するのに使用される油を意味する。
【００７７】
基油という用語は、それに対して他の油、溶媒または物質を添加して溶媒または機能性流体製剤を生成する油を意味する。
【００７８】
溶媒および／または機能性流体製剤のための希釈油または基油としての精製フィッシャー−トロプシュ軽油画分の使用の利点は、精製フィッシャー−トロプシュ軽油画分を含み、添加剤化合物をさらに含む機能性流体製剤の場合上記と同じである。
【００７９】
さらなる態様では、本発明は、溶媒および／または機能性流体用途における生分解性を改善し、毒性を低下させるための、本発明による方法によって得られた精製フィッシャー−トロプシュ軽油画分の使用を提供する。
【００８０】
上記したように、精製フィッシャー−トロプシュ軽油画分は、好ましくは、芳香族化合物、イオウ、窒素化合物が非常に低い水準であり、好ましくは、多環式芳香族炭化水素を含まない。こうした低水準は、限定されないが、精製フィッシャー−トロプシュ軽油画分の低水中毒性、低沈降有機体毒性および低地球環境毒性をもたらすことができる。精製フィッシャー−トロプシュ軽油画分の分子構造は、フィッシャー−トロプシュ由来の軽油の容易な生分解性をもたらすことができる。
【００８１】
汚染物質富化されていない本方法のステップ（ａ）で得られた任意のさらなるフィッシャー−トロプシュ軽油画分はまた、精製フィッシャー−トロプシュ軽油画分と同様に、本明細書で上記したような１つ以上の方式で使用することもできる。
【００８２】
特定のフィッシャー−トロプシュ軽油画分の具体的な使用は、そうした特定のフィッシャー−トロプシュ軽油画分の正確な組成および特性に依存することができる。原料として本発による方法のステップ（ａ）で供給されたフィッシャー−トロプシュ由来の軽油原料は、メタン、石炭またはバイオマスのような原油以外の原料に由来し、フィッシャー−トロプシュ法で生成した合成軽油である。フィッシャー−トロプシュ由来の軽油の調製は、その両方を参照により本明細書に組み込む、例えば、ＷＯ０２／０７０６２８号およびＷＯ−Ａ−９９３４９１７（詳細には、ＷＯ−Ａ−９９３４９１７の実施例ＩＩＩの触媒を使用するＷＯ−Ａ−９９３４９１７の実施例ＶＩＩで記載の方法）に記載されている。上記したように、こうしたフィッシャー−トロプシュ由来の軽油は、原油由来の軽油に対して異なる分子組成を有し、顕著に異なる特性を有する。したがって、フィッシャー−トロプシュ由来の軽油は、原油由来の軽油とは明確に区別することができる。フィッシャー−トロプシュ由来の軽油の多数の好ましい特性が本明細書で提供される。
【００８３】
好ましくは、フィッシャー−トロプシュ由来の軽油は、５０重量％超のイソパラフィン、好ましくは、７０重量％超のイソパラフィン、さらにより好ましくは、８０重量％超のイソパラフィンを含む。好ましくは、フィッシャー−トロプシュ由来の軽油は、少なくとも２、より好ましくは、少なくとも２．８、さらにより好ましくは、少なくとも３．５、さらにより好ましくは、少なくとも３．７、さらにより好ましくは、少なくとも４、さらにより好ましくは、少なくとも４．５のｉ／ｎ比を有する。
【００８４】
好ましくは、フィッシャー−トロプシュ由来の軽油は、フィッシャー−トロプシュ由来の軽油中のイソパラフィンの全重量に対して２０から４０重量％、好ましくは、２１から３７重量％、より好ましくは、２３から３７重量％の範囲のモノメチル分枝イソパラフィンを含む。
【００８５】
好ましくは、フィッシャー−トロプシュ由来の軽油は、大気条件下で少なくとも１５０℃の初期沸点および４５０℃以下の最終沸点を有する。適切には、フィッシャー−トロプシュ由来の軽油は、ＡＳＴＭ  Ｄ８６を使用して測定された、大気条件下で少なくとも１７５℃の初期沸点を有する。本明細書では、本発明を説明する際に本明細書で示された初期沸点、最終沸点および沸点範囲は、ＡＳＴＭ  Ｄ８６によって決定された初期沸点、最終沸点および沸点範囲であることに留意されたい。フィッシャー−トロプシュ由来の軽油全体に対するＡＳＴＭ  Ｄ８６によって決定された初期沸点、最終沸点および沸点範囲は、それぞれフィッシャー−トロプシュ由来の軽油全体のＡＳＴＭ  Ｄ８６基準の初期沸点およびＡＳＴＭ  Ｄ８６基準の最終沸点未満または超の真の沸騰温度を有する化合物または画分の存在を排除しないことにさらに留意されたい。
【００８６】
フィッシャー−トロプシュ由来の軽油原料は、好ましくは、大気条件下で３３０から４５０℃、より好ましくは、３３１から３７０℃、さらにより好ましくは、３３２から３６５℃、３３３から３５１℃、さらにより好ましくは、３３６から３４８℃およびさらにより好ましくは、３３９から３４５℃の最終沸点を有する。大気条件下の沸点は、大気沸点を意味し、沸点はＡＳＴＭ  Ｄ８６によって決定される。
【００８７】
フィッシャー−トロプシュ全範囲軽油とも呼ばれるフィッシャー−トロプシュ由来の軽油は、炭素原子７から３０個の範囲のアルキル鎖長を有し、イソパラフィンおよび直鎖パラフィンを含めたパラフィンを含む、好ましくは、炭素原子９から２５個を有するパラフィンを含む流体である；フィッシャー−トロプシュ由来のパラフィン軽油は、フィッシャー−トロプシュ由来のパラフィンの全量に対して、好ましくは、炭素原子７から３０個を有するフィッシャー−トロプシュ由来のパラフィンの量に対して、好ましくは、少なくとも７０重量％、より好ましくは、少なくとも８５重量％、より好ましくは、少なくとも９０重量％、より好ましくは、少なくとも９５重量％、さらにより好ましくは、少なくとも９８重量％の炭素原子９から２５個を有するフィッシャー−トロプシュ由来のパラフィンを含む。
【００８８】
さらに、フィッシャー−トロプシュ由来の軽油は、好ましくは、７７４ｋｇ／ｍ３から７８２ｋｇ／ｍ３、より好ましくは、７７５ｋｇ／ｍ３から７８０ｋｇ／ｍ３、さらにより好ましくは、７７６ｋｇ／ｍ３から７７９ｋｇ／ｍ３のＡＳＴＭ  Ｄ４０５２記載の１５℃における密度を有する。
【００８９】
適切には、フィッシャー−トロプシュ由来の軽油のＡＳＴＭ  Ｄ４４５記載の４０℃における動力学的粘度は、２．３から３．０ｃＳｔ、好ましくは、２．５ｃＳｔから２．９ｃＳｔである。
【００９０】
さらに、フィッシャー−トロプシュ由来の軽油の流動点（ＡＳＴＭ  Ｄ９７に記載の）は、好ましくは、−１０℃未満、より好ましくは、−１５℃未満、より好ましくは、−１７℃未満、より好ましくは、−２０℃未満、より好ましくは、−２２℃未満、さらにより好ましくは、−２７℃未満および好ましくは、−４０℃超である。
【００９１】
適切には、フィッシャー−トロプシュ由来の軽油の曇り点（ＡＳＴＭ  Ｄ２５００に記載の）は、好ましくは、−１０℃未満、より好ましくは、−１５℃未満、より好ましくは、−１８℃未満、より好ましくは、−２０℃未満、より好ましくは、−２２℃未満、および最も好ましくは−２７℃未満、および好ましくは、−４０℃超である。
【００９２】
好ましくは、ＡＳＴＭ  Ｄ９３に記載のフィッシャー−トロプシュ由来の軽油の引火点は、少なくとも６０℃、より好ましくは、７０℃、さらにより好ましくは、少なくとも８０℃、およびさらにより好ましくは、少なくとも８５℃である。
【００９３】
フィッシャー−トロプシュ由来の軽油は、５０ｍｍ超のＡＳＴＭ  Ｄ１３２２記載の煙点を有する。
【００９４】
通常、本発明に記載の方法に原料として供給されるフィッシャー−トロプシュ由来の軽油は、
・フィッシャー−トロプシュ由来の軽油の重量に対して０から３００重量ｐｐｍ、より好ましくは、０から２００重量ｐｐｍ、さらにより好ましくは、０から１００重量ｐｐｍ、さらにより好ましくは、０から５０重量ｐｐｍ、最も好ましくは、０から２５重量ｐｐｍの範囲の芳香族化合物、
・含酸素化合物中の元素酸素の重量およびフィッシャー−トロプシュ由来の軽油の重量を基準にして計算された０から３重量ｐｐｍ、より好ましくは、０から１重量ｐｐｍの範囲の含酸素化合物、
・ＡＳＴＭ  Ｄ２７１０にしたがって測定された０から１００、好ましくは、０から７５、より好ましくは、０から５０、さらにより好ましくは、０から３５の範囲のＢｒ指数（ｍｇＢｒ／１００ｇ原料）に対応する不飽和脂肪族炭化水素化合物濃度、
・イオウ含有炭化水素系化合物中の元素イオウの重量およびフィッシャー−トロプシュ由来の軽油の重量を基準にして計算された０から３重量ｐｐｍ、より好ましくは、０から１重量ｐｐｍ、さらにより好ましくは、０から０．２重量ｐｐｍの範囲のイオウ含有炭化水素系化合物、
・窒素含有炭化水素系化合物中の元素窒素の重量およびフィッシャー−トロプシュ由来の軽油の重量を基準にして計算された０から１重量ｐｐｍの範囲の窒素含有炭化水素系化合物、および／または
・フィッシャー−トロプシュ由来の軽油の重量に対して０から２重量％の範囲のナフテン系化合物を含み、好ましくは、芳香族化合物、含酸素化合物、イオウ含有炭化水素系化合物および窒素含有炭化水素系化合物のうちの少なくとも１つは、フィッシャー−トロプシュ由来の軽油原料中に含まれる、すなわち、上記の濃度の少なくとも１つは、ゼロでない。特に、芳香族化合物、不飽和脂肪族炭化水素化合物および含酸素化合物のうちの少なくとも１つは、フィッシャー−トロプシュ由来の軽油原料中に含まれる、すなわち、上記の芳香族化合物、不飽和脂肪族炭化水素化合物および含酸素化合物濃度の少なくとも１つは、ゼロでない。
【００９５】
好ましくは、本発明に記載の方法に原料として供給されるフィッシャー−トロプシュ由来の軽油は、
・フィッシャー−トロプシュ由来の軽油の重量に対して０から３００重量ｐｐｍ、より好ましくは、０から２００重量ｐｐｍ、さらにより好ましくは、０から１００重量ｐｐｍ、さらにより好ましくは、０から５０重量ｐｐｍ、最も好ましくは、０から２５重量ｐｐｍの範囲の芳香族化合物、
・含酸素化合物中の元素酸素の重量およびフィッシャー−トロプシュ由来の軽油の重量を基準にして計算された０から３重量ｐｐｍ、好ましくは、０から１重量ｐｐｍの範囲の含酸素化合物、
・ＡＳＴＭ  Ｄ２７１０にしたがって測定された０から１００、好ましくは、０から７５、より好ましくは、０から５０、さらにより好ましくは、０から３５の範囲のＢｒ指数（ｍｇＢｒ／１００ｇ原料）に対応する不飽和脂肪族炭化水素化合物濃度、
・イオウ含有炭化水素系化合物中の元素イオウの重量およびフィッシャー−トロプシュ由来の軽油の重量を基準にして計算された０から３重量ｐｐｍ、より好ましくは、０から１重量ｐｐｍ、さらにより好ましくは、０から０．２重量ｐｐｍの範囲のイオウ含有炭化水素系化合物、
・窒素含有炭化水素系化合物中の元素窒素の重量およびフィッシャー−トロプシュ由来の軽油の重量を基準にして計算された０から１重量ｐｐｍの範囲の窒素含有炭化水素系化合物、および
・フィッシャー−トロプシュ由来の軽油の重量に対して０から２重量％の範囲のナフテン系化合物を含み、好ましくは、芳香族化合物、不飽和脂肪族炭化水素化合物、含酸素化合物、イオウ含有炭化水素系化合物および窒素含有炭化水素系化合物のうちの少なくとも１つは、フィッシャー−トロプシュ由来の軽油原料中に含まれる、すなわち、上記の濃度の少なくとも１つは、ゼロでない。特に、芳香族化合物、不飽和脂肪族炭化水素化合物および含酸素化合物のうちの少なくとも１つは、フィッシャー−トロプシュ由来の軽油原料中に含まれる、すなわち、上記の芳香族化合物、不飽和脂肪族炭化水素化合物および含酸素化合物濃度のうちの少なくとも１つは、ゼロでない。上記では、含酸素化合物、イオウ含有炭化水素系化合物および窒素含有炭化水素系化合物の濃度が軽油中に存在する酸素、イオウおよび窒素の重量基準で決定され、こうした酸素、イオウおよび窒素原子を含む完全な分子の重量基準で決定されていないことを示すために、元素酸素、元素イオウおよび元素窒素に言及する。
【００９６】
さらに、フィッシャー−トロプシュ由来の軽油は、好ましくは、フィッシャー−トロプシュ由来の軽油の重量に対して、３００重量ｐｐｍ未満の多環式芳香族炭化水素、より好ましくは、２５重量ｐｐｍ未満の多環式芳香族炭化水素、最も好ましくは、１重量ｐｐｍ未満の多環式芳香族炭化水素を含む。さらに、フィッシャー−トロプシュ由来の軽油は、ｎ−パラフィンを含み、環式アルカンを含むことができる。
【００９７】
原料中にすでに含まれた望ましくない化合物もまたステップ（ａ）の分画中に形成された含酸素化合物および芳香族化合物に加えてステップ（ｂ）で吸収され得ることが本発明に記載の方法の利点である。
【００９８】
本発明に記載の方法のステップ（ａ）では、フィッシャー−トロプシュ由来の軽油原料は、２つ以上のフィッシャー−トロプシュ軽油画分、好ましくは、３つ以上のフィッシャー−トロプシュ軽油画分、より好ましくは、４つ以上のフィッシャー−トロプシュ軽油画分に分画される。詳細には、少なくとも１つのフィッシャー−トロプシュ軽油画分、詳細には、ステップ（ａ）で得られた汚染物質富化フィッシャー−トロプシュ軽油画分は、フィッシャー−トロプシュ由来の軽油原料より強い臭気を示す場合がある。
【００９９】
好ましくは、ステップ（ａ）、またはフィッシャー−トロプシュ軽油画分がステップ（ｂ）に供給される場合は究極的に（ｃ）で得られたフィッシャー−トロプシュ軽油画分のうちの少なくとも１つは、２６０℃以下、好ましくは、２５０℃以下、より好ましくは、２１５℃以下の最終沸点を有する。好ましくは、少なくとも１つのフィッシャー−トロプシュ軽油画分は、（１）１８０℃以下、好ましくは、１７０℃以下の最終沸点を有するフィッシャー−トロプシュ軽油画分、（２）少なくとも１６０℃、好ましくは、少なくとも１７０℃の初期沸点および２００℃以下、好ましくは、１９０℃以下の最終沸点を有するフィッシャー−トロプシュ軽油画分、（３）少なくとも１８０℃、好ましくは、少なくとも１９０℃の初期沸点および２２５℃以下、好ましくは、２１５℃以下の最終沸点を有するフィッシャー−トロプシュ軽油画分、および（４）少なくとも２０５℃、好ましくは、少なくとも２１５℃の初期沸点および２６０℃以下、好ましくは、２５０℃以下の最終沸点を有するフィッシャー−トロプシュ軽油画分からなる群から選択されるフィッシャー−トロプシュ軽油画分であり、沸点が、ＡＳＴＭ  Ｄ８６を使用して決定され、大気条件下で測定される。
【０１００】
詳細には、ステップ（ａ）、またはフィッシャー−トロプシュ軽油画分がステップ（ｂ）に供給される場合は究極的に（ｃ）で得られたフィッシャー−トロプシュ軽油画分のうちの少なくとも１つは、（１）１８０℃以下、好ましくは、１７０℃以下の最終沸点を有するフィッシャー−トロプシュ軽油画分、（２）少なくとも１６０℃、好ましくは、少なくとも１７０℃の初期沸点および２００℃以下、好ましくは、１９０℃以下の最終沸点を有するフィッシャー−トロプシュ軽油画分、および（３）少なくとも１８０℃、好ましくは、少なくとも１９０℃の初期沸点および２２５℃以下、好ましくは、２１５℃以下の最終沸点を有するフィッシャー−トロプシュ軽油画分からなる群から選択されるフィッシャー−トロプシュ軽油画分であってよく、沸点が、ＡＳＴＭ  Ｄ８６を使用して決定され、大気条件下で測定される。
【０１０１】
より詳細には、ステップ（ａ）、またはフィッシャー−トロプシュ軽油画分がステップ（ｂ）に供給される場合は究極的に（ｃ）で得られたフィッシャー−トロプシュ軽油画分のうちの少なくとも１つは、（２）少なくとも１６０℃、好ましくは、少なくとも１７０℃の初期沸点および２００℃以下、好ましくは、１９０℃以下の最終沸点を有するフィッシャー−トロプシュ軽油画分、（３）少なくとも１８０℃、好ましくは、少なくとも１９０℃の初期沸点および２２５℃以下、好ましくは、２１５℃以下の最終沸点を有するフィッシャー−トロプシュ軽油画分からなる群から選択されるフィッシャー−トロプシュ軽油画分であってよく、沸点が、ＡＳＴＭ  Ｄ８６を使用して決定され、大気条件下で測定される。
【０１０２】
２６０℃以下、好ましくは、より低い最終沸点を有する、ステップ（ａ）で得られるかかるフィッシャー−トロプシュ軽油画分は、望ましくない臭気特性を有する傾向が特にあり、したがって、望ましくない臭気を引き起こす汚染物質を除去するためのステップ（ｂ）における吸収工程は有益であることが発見された。
【０１０３】
好ましくは、ステップ（ａ）で得られる上記の画分の少なくとも１つは、汚染物質富化フィッシャー−トロプシュ軽油画分としてステップ（ｂ）に供給される。
【０１０４】
ステップ（ａ）で得られる、フィッシャー−トロプシュ軽油画分の少なくとも１つ、詳細には、汚染物質富化フィッシャー−トロプシュ軽油画分は、フィッシャー−トロプシュ由来の軽油原料のセーボルト数より低いセーボルト数をもたらす色を示す場合がある。
【０１０５】
ステップ（ｃ）で精製フィッシャー−トロプシュ軽油画分（複数可）として回収される高純度フィッシャー−トロプシュ軽油画分（複数可）は、前記精製フィッシャー−トロプシュ軽油画分を調製するためにステップ（ｂ）に供給される汚染物質富化フィッシャー−トロプシュ軽油画分と基本的に同じ沸点範囲を有する。
【０１０６】
好ましくは、ステップ（ａ）、またはフィッシャー−トロプシュ軽油画分がステップ（ｂ）に供給される場合は究極的に（ｃ）で得られたフィッシャー−トロプシュ軽油画分のうちの少なくとも１つは、２６０℃超、好ましくは、少なくとも３００℃、より好ましくは、少なくとも３１０℃の初期沸点を有する。好ましくは、少なくとも１つのフィッシャー−トロプシュ軽油画分は、（１）２６０℃超、好ましくは、少なくとも２７０℃の初期沸点および３２０℃以下、好ましくは、３１０℃以下の最終沸点を有するフィッシャー−トロプシュ軽油画分、（２）少なくとも３１０℃、好ましくは、少なくとも３３０℃、より好ましくは、少なくとも３６０℃の初期沸点を有するフィッシャー−トロプシュ軽油画分からなる群から選択されるフィッシャー−トロプシュ軽油画分であり、沸点が、ＡＳＴＭ  Ｄ８６を使用して決定され、大気条件下で測定される。
【０１０７】
詳細には、ステップ（ａ）、またはフィッシャー−トロプシュ軽油画分がステップ（ｂ）に供給される場合は究極的に（ｃ）で得られたフィッシャー−トロプシュ軽油画分のうちの少なくとも１つは、少なくとも３１０℃、好ましくは、少なくとも３３０℃、より好ましくは、少なくとも３６０℃の初期沸点を有するフィッシャー−トロプシュ軽油画分であってよく、沸点が、ＡＳＴＭ  Ｄ８６を使用して決定され、大気条件下で測定される。
【０１０８】
ステップ（ａ）で得られ、２６０℃超である初期沸点を有するフィッシャー−トロプシュ軽油画分は特に、変色する傾向がある、すなわち、フィッシャー−トロプシュ由来の軽油原料より低いセーボルト数を有する、より詳細には、３０未満のセーボルト数を有することが発見された。さらにより詳細には、ステップ（ａ）で得られ、３３０℃超、詳細には３６０℃超である初期沸点を有し、ステップ（ａ）で得られる汚染物質富化フィッシャー−トロプシュ軽油画分は、２８未満、詳細には２７未満、より詳細には２５未満であるセーボルト数を有する場合があることが発見された。
【０１０９】
好ましくは、ステップ（ａ）で得られる上記の画分の少なくとも１つは、汚染物質富化フィッシャー−トロプシュ軽油画分としてステップ（ｂ）に供給される。
【０１１０】
ステップ（ｃ）で精製フィッシャー−トロプシュ軽油画分（複数可）として回収される高純度フィッシャー−トロプシュ軽油画分（複数可）は、前記精製フィッシャー−トロプシュ軽油画分を調製するためにステップ（ｂ）に供給される汚染物質富化フィッシャー−トロプシュ軽油画分と基本的に同じ沸点範囲を有する。
【０１１１】
好ましくは、ステップ（ａ）で得られるフィッシャー−トロプシュ軽油画分または精製フィッシャー−トロプシュ軽油画分としてステップ（ｃ）で回収される精製フィッシャー−トロプシュ軽油画分（複数可）のうちの少なくとも１つは、２から６の範囲のｉ／ｎ比を有する。好ましくは、ステップ（ａ）または（ｃ）で得られるフィッシャー−トロプシュ軽油画分の大部分、すなわち、半分超は、２から６の範囲のｉ／ｎ比を有する。高いｉ／ｎ比は、有利には、とりわけ、フィッシャー−トロプシュ軽油画分の粘度に対して有効である場合がある。イソパラフィンの相対的濃度を増加することによってフィッシャー−トロプシュ軽油画分の全体的な粘度が低くなる場合がある。フィッシャー−トロプシュ由来の軽油原料を分画することによって、特定の予測される用途に応じて、改善されたｉ／ｎ比を有する画分を得ることができる。
【０１１２】
好ましくは、ステップ（ａ）または（ｃ）で得られるフィッシャー−トロプシュ軽油画分のうちの少なくとも１つは、フィッシャー−トロプシュ軽油画分中のイソパラフィン全重量に対して、３０から７５重量％、より好ましくは、３５から７０重量％、より好ましくは、３５から６０重量％の範囲のモノメチル分枝イソパラフィンを含む。
【０１１３】
好ましくは、ステップ（ａ）または（ｃ）で得られるフィッシャー−トロプシュ軽油画分の大部分、すなわち、半分超は、フィッシャー−トロプシュ軽油画分中のイソパラフィン全重量に対して、３０から７５重量％の範囲のモノメチル分枝イソパラフィンを含む。好ましくは、ステップ（ａ）または（ｃ）で得られるフィッシャー−トロプシュ軽油画分のうちの少なくとも１つは、フィッシャー−トロプシュ由来の軽油原料よりイソパラフィン全重量に対してより高い重量パーセントのモノメチル分枝イソパラフィンを含む。より好ましくは、ステップ（ａ）または（ｃ）で得られるフィッシャー−トロプシュ軽油画分のうちの少なくとも２つ、さらにより好ましくは、３つは、フィッシャー−トロプシュ由来の軽油原料よりイソパラフィン全重量に対してより高い重量パーセントのモノメチル分枝イソパラフィンを含む。
【０１１４】
モノメチル分枝イソパラフィンは、他のイソパラフィンに対して望ましい生分解特性を示す。他のイソパラフィンに対して比較的高い濃度のモノメチルイソパラフィンは、有利には、とりわけ、フィッシャー−トロプシュ軽油画分の生分解特性に有効であり得る。他のイソパラフィンに対するモノメチルイソパラフィンの相対的濃度を増加させることによって、フィッシャー−トロプシュ由来の軽油原料の生分解特性以上にフィッシャー−トロプシュ軽油画分の生分解性特性を改善することができる。
【手続補正書】
【提出日】平成29年1月5日(2017.1.5)
【手続補正１】
【補正対象書類名】特許請求の範囲
【補正対象項目名】全文
【補正方法】変更
【補正の内容】
【特許請求の範囲】
【請求項１】
精製フィッシャー−トロプシュ軽油画分を調製するための方法であって、
ａ）フィッシャー−トロプシュ由来の軽油原料を異なる沸点範囲を有する２つ以上のフィッシャー−トロプシュ軽油画分に分画するステップであり、フィッシャー−トロプシュ由来の軽油が、フィッシャー−トロプシュ由来のパラフィン全量に対して炭素原子９から２５個を有するフィッシャー−トロプシュ由来をパラフィンの少なくとも７０重量％を含む、炭素原子７から３０個の範囲のアルキル鎖長を有する、イソパラフィンおよび直鎖パラフィンを含めたパラフィンを含む流体であり、少なくとも１つのフィッシャー−トロプシュ軽油画分が、１種以上の汚染物質が原料に対して富化されている汚染物質富化フィッシャー−トロプシュ軽油画分であるステップ、
ｂ）汚染物質富化フィッシャー−トロプシュ軽油画分を、少なくとも１種の吸収材料を含む吸収ゾーンに供給し、汚染物質富化フィッシャー−トロプシュ軽油画分を吸収材料に接触させて汚染物質の少なくとも一部を吸収させるステップ、および
ｃ）吸収ゾーンから精製フィッシャー−トロプシュ軽油画分を回収するステップであり、その精製フィッシャー−トロプシュ軽油画分が汚染物質富化フィッシャー−トロプシュ軽油画分に対して汚染物質が激減しているステップ
を含み、汚染物質富化フィッシャー−トロプシュ画分中の汚染物質の少なくとも一部がステップ（ａ）の分画中に形成される、方法。
【請求項２】
フィッシャー−トロプシュ由来の軽油が、４５０℃以下の最終沸点を有する、請求項１に記載の方法。
【請求項３】
汚染物質富化フィッシャー−トロプシュ軽油画分が、２６０℃以下の最終沸点を有する、請求項１または２に記載の方法。
【請求項４】
汚染物質富化フィッシャー−トロプシュ軽油画分が、２６０℃超の初期沸点を有する、請求項１に記載の方法。
【請求項５】
請求項１から４のいずれか一項に記載の方法で得られた精製フィッシャー−トロプシュ軽油画分の、溶媒、希釈剤または機能性流体としての使用。
【国際調査報告】
2017519061.tif 000002
2017519061.tif 000003
2017519061.tif 000004